(57)【特許請求の範囲】
【請求項１】
シャックルと、取付対象に取付ボルトで螺子止めが可能に構成された支持本体と、前記シャックルを前記支持本体に対して揺動自在に支持する揺動支持機構とを備えた揺動連結具であって、
前記支持本体における前記取付ボルトを挿通させるボルト孔の内周部と、前記取付ボルトのボルト軸部とにわたって係合するＣリングが設けられ、前記揺動支持機構を、前記シャックルの一対の脚部夫々に形成された連結用孔と、円滑な外周面を有した状態で前記支持本体に一体的に形成された一対の軸部とを嵌合させるとともに、前記脚部の前記軸部からの抜出しを阻止する手段を設けて構成すると共に、前記支持本体の一対の軸部は、前記ボルト孔に挿通して取付対象に螺子止めした状態の取付ボルトの拡径頭部より前記取付対象側に位置するように形成してある揺動連結具。
【請求項２】
前記揺動支持機構による前記シャックルの揺動軸心に直交する軸心回りにおいて、前記シャックルを前記支持本体に対して回動自在に支持する回動支持機構を設けてある請求項１に記載の揺動連結具。
【発明の詳細な説明】
【０００１】
【発明の属する技術分野】
本発明は、シャックルと、取付対象に対する螺子止めが可能に構成された支持本体と、シャックルを支持本体に対して揺動自在に支持する揺動支持機構とを備えた揺動連結具に係り、詳しくは、シャックルの支持本体への支持強度を高める技術に関するものである。
【０００２】
【従来の技術】
従来の揺動連結具Ａは、図４、図５に示すように、取付け対象６にボルト止め自在なボス部材１と、この２部品で成るボス部材１に相対回動自在に外嵌される支持リング２と、この支持リング２に対して揺動自在に支持されるＵ字状のシャックル３とから構成されていた。シャックル３の一対の脚部３Ａ，３Ａに形成された孔３ａを通して支持リング２に螺着される一対の連結ボルト４，４を設けるとともに、それら連結ボルト４，４を支持リング２にピン抜け止め固定することにより、横軸心Ｙを有した揺動支持機構が構成されていた。
【０００３】
つまり、ボス部材１と支持リング２とで成る支持本体１８に対してシャックル３を揺動自在に支持させてあることにより、取付け対象に作用する引張り荷重方向の傾きに追従してシャックル３が揺動するので、その荷重方向の傾きに起因した大きな曲げモーメントが作用し難いようになり、連結具としての耐荷重を高められるようにしてある。因みに、支持リング２は縦軸心Ｘでボス部材１に対して回動自在でもある。
【０００４】
【発明が解決しようとする課題】
前記従来技術による揺動連結具では、シャックル３の揺動移動を許容しながら軸方向の遊び少なく連結させるため、連結ボルト４の螺子部４ａは支持リング２からシャックル３側に出張る位置まで形成するようになるので、シャックル３を介して連結ボルト４に掛る荷重によるせん断力は螺子部４ａに作用することになっていた。予め断面に亀裂形状のネジ溝が形成されているような螺子部にせん断力が作用するので、耐荷重においては不利であるとともに、その不利を補うべく強度に優れた高価な材料が必要になるといった点で改善の余地があった。
【０００５】
本発明の目的は、せん断によるシャックルの支持力を改善して、耐荷重が無理なく高められる揺動連結具を提供する点にある。
【０００６】
【課題を解決するための手段】
〔構成〕
請求項１の構成は、図１、図２に例示する如く、シャックル５と、取付対象６に取付ボルトで螺子止めが可能に構成された支持本体１９と、シャックル５を支持本体１９に対して揺動自在に支持する揺動支持機構８とを備えた揺動連結具において、
前記支持本体における前記取付ボルトを挿通させるボルト孔の内周部と、前記取付ボルトのボルト軸部とにわたって係合するＣリングが設けられ、揺動支持機構８を、シャックル５の一対の脚部５ａ，５ａ夫々に形成された連結用孔１５と、円滑な外周面を有した状態で支持本体１９に一体的に形成された一対の軸部１４，１４とを嵌合させるとともに、脚部５ａの軸部１４からの抜出しを阻止する手段ｓを設けて構成すると共に、前記支持本体の一対の軸部は、前記ボルト孔に挿通して取付対象に螺子止めした状態の取付ボルトの拡径頭部より前記取付対象側に位置するように形成してあることを特徴とする。
【０００７】
請求項２の構成は、図１、図２に例示する如く、請求項１の構成において、揺動支持機構８によるシャックル５の揺動軸心Ｙに直交する軸心Ｘ回りにおいて、シャックル５を支持本体１９に対して回動自在に支持する回動支持機構９を設けてあることを特徴とするものである。
【０００８】
尚、上述のように、図面との対照を便利にするために符号を記したが、該記入により本発明は添付図面の構成に限定されるものではない。
【０００９】
〔作用〕
請求項１の構成によれば、シャックル脚部の連結用孔には、円滑な外周面を有した状態で支持本体に一体的に形成された軸部が嵌合されるので、シャックルを介して軸部に作用するせん断力を受ける箇所には螺子部のような凹凸が無く、円滑な外周面になり、耐せん断力を向上させることが可能になる。加えて、次のような作用もある。
【００１０】
例えば、従来構造における連結ボルトの代わりに、抜け止め状態に差し込まれたピン軸を設ける手段では、支持本体とは別体であるピン軸の抜け出しおそれを皆無にはできない問題がある。これに対して、軸部が一体的に支持本体に形成された本請求項のものでは、軸部が支持本体から外れるおそれが無い点で好ましいものである。又、連結ボルトやピン軸を装着する構造では、これらと支持本体側とのガタつき、即ち、僅かではあるが隙間が存在することも多いので、衝撃荷重や曲げモーメントが作用して、限界荷重が所期値よりも低下するおそれがあるが、本請求項の構造ではそのようなおそれが先ず生じない点も好ましい。
【００１１】
請求項２の構成によれば、揺動支持機構によるシャックルの揺動軸心に直交する軸心回りにおいて、シャックルを支持本体に対して回動自在に支持してあるから、前述したように引張り荷重方向の傾きに追従できるとともに、その傾きに関する軸心に直交する軸心に関する傾きに対しても追従できるので、３次元のあらゆる方向に対応できるようになり、シャックルに無理な曲げモーメントが作用しないようにすることができる。
【００１２】
〔効果〕
請求項１に記載の揺動連結具では、支持本体に一体的に形成された軸部にシャックル脚部の孔を嵌合させて抜け止めすることにより、軸部の対せん断力が向上し、曲げ荷重や衝撃荷重が先ず作用しないようになるので、荷重限界が改善されるとともに信頼性も向上するものにできた。
【００１３】
請求項２に記載の揺動連結具では、前記効果を奏するとともに、シャックルが支持本体に対して揺動及び回動自在に支持されるので、シャックルの姿勢をあらゆる引張り方向に対応させることができ、より使い勝手に優れる利点がある。
【００１４】
【発明の実施の形態】
以下、本発明の実施の形態を図面に基づいて説明する。
図１、図２に組付け状態の揺動連結具Ｂが、かつ、図３に分解斜視図が夫々示されている。この揺動連結具Ｂは、シャックル５と、取付対象６に対する螺子止めが可能に構成されたボス部材７と、シャックル５をボス部材７に対して揺動自在に支持する揺動支持機構８と、シャックル５をボス部材７に対して回動自在に支持する回動支持機構９とを備えて構成されている。
【００１５】
ボス部材７は、ボルト孔７ａ付きフランジ状の下ボス７Ａと、ボルト孔７ｂ付き蓋状の上ボス７Ｂとの圧入適な嵌合連結によって構成されており、下ボス７Ａのボルト孔７ａ上端部にＣリング逃げ１０を形成してある。取付対象６に螺子止め自在な取付けボルト１１は、両ボルト孔７ａ，７ｂを貫通して装備されるとともに、その軸部１１ａに外嵌装着されたＣリング１２が前述のＣリング逃げ１０に位置している。
【００１６】
ボス部材７には、取付けボルト１１の軸方向に沿う縦軸心Ｘ回りで回動自在にリング状のトラニオン１３を嵌装してあり、トラニオン１３に一体形成された一対の軸部１４，１４に、シャックル５の一対の脚部５ａ，５ａ夫々に形成された連結用孔１５，１５を外嵌することにより、縦軸心Ｘに直交する横軸心（揺動軸心の一例）Ｙ回りでシャックル５を揺動自在な揺動支持機構８を構成してある。軸部１４は、螺子部やスナップリング装着用の溝といった明確な凹凸が無く、円滑な外周面を有した状態に形成されている。
【００１７】
回動支持機構９は、トラニオン１３とボス部材７との嵌合によって構成されており、ボス部材７に対してトラニオン１３を、即ちシャックル５を縦軸心（揺動軸心Ｙに直交する軸心の一例）Ｘ回りで回動自在に支持してある。尚、ボス部材７とトラニオン１３とで支持本体１９が構成されており、軸部１４は、支持本体１９に一体的に形成されているものである。
【００１８】
逆Ｕ字状のシャックル５は、図３に示す直線状のシャックル用両頭ロッド５Ｒを熱間（又は常温下）で曲げ加工することによって形成されるものであり、その曲げ加工時に連結用孔１５を軸部１４に嵌合させる工程も行われる。つまり、シャックル５は嵌め殺し的に軸部１４，１４に嵌合されていて、通常では抜け出ることはないが、シャックル５に相当な引張り荷重が作用する等によって、シャックル５が開き変形するおそれがある。そこで、軸部１４に形成された螺子穴１４ａにビス１６止めされたワッシャ１７を設けて、脚部５ａの軸部１４からの抜出しを阻止する手段ｓを構成してある。
【００１９】
螺子穴１４ａ及びその下穴は、それらの最奥部が軸部１４の付け根端迄には達していないので、シャックル５からの荷重によるせん断力を受ける箇所である軸部１４の最付け根部では、断面積が縮小されることが回避されており、この点からもせん断力アップに寄与している。
【００２０】
〔別実施形態〕
図示しないが、前記ボス部材７と前記トラニオン１３とが一体化されたような形状の支持本体２０を設けて、シャックル５の横軸心Ｙ回りの揺動移動のみが自在に構成された揺動連結具Ｂでも良い。又、軸部１４からの脚部５ａの抜け出しを、軸部１４に装備したＥリング等の軸外装型スナップリングにより、抜出阻止手段ｓを構成しても良い。
【図面の簡単な説明】
【図１】揺動連結具の一部切欠き全体正面図
【図２】揺動連結具の全体側面図
【図３】揺動連結具の分解斜視図
【図４】従来の揺動連結具を示す一部切欠き正面図
【図５】図４に示す揺動連結具の一部切欠き平面図
【符号の説明】
５                            シャックル
５ａ                        脚部
６                            取付対象
８                            揺動支持機構
９                            回動支持機構
１４                        軸部
１５                        連結用孔
１９                        支持本体
ｓ                            抜出しを阻止する手段
Ｙ                            揺動軸心
Ｘ                            軸心
【図１】
0003606802.tif 000002
【図２】
0003606802.tif 000003
【図３】
0003606802.tif 000004
【図４】
0003606802.tif 000005
【図５】
0003606802.tif 000006